(57)【要約】【課題】戸袋に大型の情報提示装置を取り付けることができて、かつ、戸袋内の機器のメンテナンスが容易なホームドア装置を提供する。【解決手段】固定された戸袋３と、戸袋３に進退自在に取り付けられた扉体５と、戸袋３に取り付けられて、戸袋３内の機器にアクセスして当該機器に対してメンテナンスを行うメンテナンス開口を開閉するアクセスドアパネル４と、視覚に訴えて情報を提示する情報提示装置６を備えるとともに、情報提示装置６はアクセスドアパネル４に固定されている。【選択図】図１
2017114412.tif 000002
【特許請求の範囲】
【請求項１】
固定された戸袋と、
前記戸袋に進退自在に取り付けられた扉体と、
前記戸袋に取り付けられて、前記戸袋内の機器にアクセスして当該機器に対してメンテナンスを行うメンテナンス開口を開閉するアクセスドアパネルと、
視覚に訴えて情報を提示する情報提示装置を備えるとともに、
前記情報提示装置は前記アクセスドアパネルに固定されている、  
ホームドア装置。
【請求項２】
前記アクセスドアパネルは前記戸袋にスライド自在に取り付けられている、
請求項１に記載のホームドア装置。
【請求項３】
前記アクセスドアパネルはヒンジを介して前記戸袋に取り付けられている、
請求項１に記載のホームドア装置。
【請求項４】
２枚のアクセスドアパネルが前記戸袋に対して観音開きに取り付けられた請求項３に記載のホームドア装置。
【請求項５】
前記情報提示装置は、前記２枚のアクセスドアパネルのいずれか一方に固定されていて、前記アクセスドアパネルが閉扉されている場合に、前記情報提示装置の背面が前記２枚のアクセスドアパネルの他方に接触するように構成されている、  
請求項４に記載のホームドア装置。
【請求項６】
前記アクセスドアパネルは、一端が前記戸袋の内部で前記戸袋に軸支され、他端が前記アクセスドアパネルに軸支されたリンク機構を介して前記戸袋に取り付けられて、前記アクセスドアパネルが前記戸袋の側面を閉塞している場合には、前記リンク機構が前記戸袋の内部に収納され、前記アクセスドアパネルが前記戸袋の側面を開放している場合には、前記リンク機構が前記戸袋の外部に振り出されるように構成されている、
請求項１に記載のホームドア装置。
【請求項７】
前記リンク機構は、一端が前記戸袋に軸支された第１のリンクと、一端が前記第１のリンクの他端に軸支され、他端が前記アクセスドアパネルに軸支された第２のリンクを備える、
請求項６に記載のホームドア装置。
【発明の詳細な説明】
【技術分野】
【０００１】
この発明は、鉄道駅のプラットホームに設置されるホームドア装置に関するものである。
【背景技術】
【０００２】
ホームドア装置は、鉄道駅のプラットホームに設置されて、鉄道車両の発着に合わせて開閉される一種の自動ドア装置である。一般に、ホームドア装置は、プラットホームに固定された戸袋と、戸袋に設けられたレール上を移動して 、戸袋に対して進退する扉体を備えている。
【０００３】
このようなホームドア装置の戸袋に、文字や画像を表示する情報提示装置を取り付けることが知られている。例えば特許文献１には、発光ダイオードを使用する情報提示装置を戸袋に取り付けたホームドア装置が開示されている。この情報提示装置は、乗降客にドアの動作や、列車の運行状態を報知するために使用される。
【０００４】
特許文献２には、ホームドア装置の戸袋に情報提示装置とタッチパネル等を備えて、乗降客がＩＣカードの残高照会等を行えるようにすることが開示されている。この情報提示装置には、電車運行情報（電車の到着や発車案内等）や広告情報も表示される。
【０００５】
また、特許文献３には、ホームドア装置の戸袋内に収納された機器のメンテナンスを行うメンテナンス開口を塞がないような位置に情報提示装置を配置することが記載されている。情報提示装置をこのような位置に配置すればメンテナンス作業が容易になる。
【先行技術文献】
【特許文献】
【０００６】
【特許文献１】特開２００７−４５３４７号公報
【特許文献２】特開２００９−２８０１７９号公報
【特許文献３】特開２０１２−１１６３９１号公報
【発明の概要】
【発明が解決しようとする課題】
【０００７】
特許文献３に記載の発明のように、メンテナンス開口を塞がないような位置に情報提示装置を取り付ければ、戸袋内の機器のメンテナンス作業は容易になる。しかしながら、そのような配置が可能なのは、比較的小型の情報提示装置を使用する場合に限られる。例えば、特許文献１に記載された大型の情報提示装置を戸袋に取り付ける場合に、メンテナンス開口を塞がないように情報提示装置を配置することは難しい。
【０００８】
特に、近時は、視認性を向上させるため、大型の情報提示装置を戸袋に取り付けることが求められている。そのため、適切な大きさのメンテナンス開口を適切な位置に配置することが困難になるという問題が生じている。その結果、戸袋内の機器のメンテナンス作業が煩わしくなるという問題が生じている。勿論、メンテナンス作業を行う度に、情報提示装置を戸袋から取り外すようにすれば、メンテナンス開口の配置や大きさの制約は無くなるが、情報提示装置の着脱作業を含めたメンテナンス作業が煩雑になることに変わりはない。
【０００９】
この発明は、上述の問題を解決するためになされたものであり、戸袋に大型の情報提示装置を取り付けることができて、かつ、戸袋内の機器のメンテナンスが容易なホームドア装置を提供することを目的とする。
【課題を解決するための手段】
【００１０】
上記目的を達成するために、この発明に係るホームドア装置は、固定された戸袋と、戸袋に進退自在に取り付けられた扉体と、戸袋に取り付けられて、戸袋内の機器にアクセスして当該機器に対してメンテナンスを行うメンテナンス開口を開閉するアクセスドアパネルと、視覚に訴えて情報を提示する情報提示装置を備えるとともに、情報提示装置はアクセスドアパネルに固定されているものである。
【発明の効果】
【００１１】
この発明に係るホームドア装置においては、アクセスドアパネルに情報提示装置を固定しているので、扉体の側面において、アクセスドアパネルと情報提示装置が干渉しない。そのため、情報提示装置を大型化しても、メンテナンス開口の位置や大きさが制約されない。また、戸袋内の機器のメンテナンスを行う際に、情報提示装置を戸袋から取り外す必要がない。その結果、戸袋内の機器のメンテナンスが容易になる。
【図面の簡単な説明】
【００１２】
【図１】この発明の第１の実施形態に係るホームドア装置の構成を示す説明図であって、図１（ａ）は全閉状態にあるホームドア装置の側面図であり、図１（ｂ）は全開状態にあるホームドア装置の側面図であり、図１（ｃ）はホームドア装置のメンテナンス開口を開放した状態を示す側面図である。
【図２】図１に記載のホームドア装置の戸袋を、図１（ａ）においてＡ−Ａ’線で示す面で切断した断面図である。
【図３】図１に記載のホームドア装置の、図１（ｃ）において、破線Ｂで示した範囲を示す詳細図である。
【図４】この発明の第２の実施形態に係るホームドア装置の構成を示す構成図であって、図４（ａ）はホームドア装置の側面図であり、図４（ｂ）は、ホームドア装置の平面図である。
【図５】この発明の第２の実施形態の変形例に係るホームドア装置の構成を示す構成図であって、図５（ａ）はホームドア装置の側面図であり、図５（ｂ）は、ホームドア装置の平面図である。
【図６】この発明の第３の実施形態に係るホームドア装置の構成を示す説明図であって、図６（ａ）はホームドア装置の側面図である。図６（ｂ）〜（ｄ）は、ホームドア装置の戸袋を、図６（ａ）においてＣ−Ｃ’線で示す面で切断した断面図であって、メンテナンス開口が開放される過程を時系列に沿って示す図である。
【図７】この発明の第３の実施形態の変形例に係るホームドア装置の構成を示す説明図であって、ホームドア装置の戸袋を、図６（ａ）においてＣ−Ｃ’線で示す面で切断した断面図である。なお、図７（ａ）はメンテナンス開口が閉鎖されている状態を、図７（ｂ）は、メンテナンス開口が開放されている状態を、それぞれ示している。
【発明を実施するための形態】
【００１３】
以下、本発明の実施形態に係るホームドア装置について、図面を参照しながら詳細に説明する。なお、各図面においては、同一または同等の部分に同一の符号を付している。
【００１４】
（第１の実施形態）
図１（ａ）〜図１（ｃ）は、この発明の第１の実施形態に係るホームドア装置１の側面図である。図１（ａ）〜図１（ｃ）に示すように、ホームドア装置１は、駅のプラットホームの床面２に固定される戸袋３と、戸袋３にスライド自在に取り付けられて、戸袋３の側面を覆うアクセスドアパネル４と、戸袋３に進退自在に取り付けられた扉体５を備えている。また、アクセスドアパネル４には、情報提示装置６が固定されている。なお、本明細書では、図１（ａ）〜図１（ｃ）に示すように、水平方向にＸ軸を、鉛直方向にＹ軸を設定して、適宜、この座標軸を引用して説明する。
【００１５】
さて、図１（ａ）は、扉体５が−Ｘ方向に移動して、戸袋３の外に引き出された状態、つまり、プラットホームにおいて乗降通路を完全に閉鎖した状態（全閉状態）を示している。図１（ｂ）は扉体５が＋Ｘ方向に移動して、戸袋３の中に引き込まれた状態、つまり、プラットホームにおいて乗降通路を完全に開放した状態（全開状態）を示している。また、図１（ｃ）は、全開状態において、アクセスドアパネル４が＋Ｘ方向にスライドされて、戸袋３の側面が開放された状態を示している。
【００１６】
図１（ａ）〜図１（ｃ）に示すように、戸袋３は、下部フレーム３１、支柱３２、上部フレーム３３を備えている。下部フレーム３１は床面２に直接固定される構造部材である。支柱３２は下部フレーム３１の左右端に立設された構造部材である。なお、図１（ａ）と図１（ｂ）においては、支柱３２の手前にアクセスドアパネル４があるので、支柱３２は見えない。図１（ｃ）においても、下部フレーム３１の右端に立設された支柱３２は、アクセスドアパネル４の後方にあって見えない。上部フレーム３３は戸袋３の上部に配置された構造部材であって、支柱３２に両持ち支持されている。
【００１７】
アクセスドアパネル４は、下部フレーム３１と上部フレーム３３にＸ軸方向に摺動自在に支持されていて、戸袋３に対してＸ軸方向にスライドする。通常の運用状態では、図１（ａ）、図１（ｂ）に示すような位置にあって、戸袋３の側面を覆っている。戸袋３の内部に配置された機器の整備点検を行う際には、図１（ｃ）に示すように、アクセスドアパネル４は、戸袋３に対して、図の右側（＋Ｘ側）にスライドされる。その結果、戸袋３の側面が開放されて、戸袋３の内部に配置された機器へのアクセスが可能になる。つまり、アクセスドアパネル４を図の右側（＋Ｘ側）にスライドさせることによって生じた開口は、戸袋３の機器にアクセスして当該機器に対してメンテナンスを行うメンテナンス開口として機能する。また、アクセスドアパネル４は、メンテナンス開口を開閉する扉あるいは蓋として機能する。なお、アクセスドアパネル４のスライドは、作業者の人力によって行われる。
【００１８】
また、図１（ｃ）に示すように、アクセスドアパネル４の上辺には複数の上部ガイドローラ４１ａが、下辺には複数の下部ガイドローラ４１ｂがそれぞれ軸支されている。アクセスドアパネル４の下辺の右側（＋Ｘ側）の端部には、補助脚４２が取り付けられている。これらの作用については後述する。
【００１９】
情報提示装置６は、液晶ディスプレイ装置のような、図示しない制御装置で制御されて、文字や画像を表示して、つまり、乗降客の視覚に訴えて、情報を提示する装置である。なお、図１（ａ）〜図１（ｃ）においては、情報提示装置６の文字や画像が表示されるスクリーン部分に網目を付している。このように、情報提示装置６は、アクセスドアパネル４の表面の大部分をスクリーンで覆うような大型の装置である。
【００２０】
なお、情報提示装置６を制御する制御装置は、戸袋３の中に配置されていて、該制御装置と情報提示装置６は図示しない信号ケーブルで接続されている。また、この信号ケーブルは、十分な長さを有するとともに、アクセスドアパネル４のスライドに合わせて動けるように支持されている。
【００２１】
さて、ここで、図１（ｃ）を参照して、戸袋３の内部に配置された機器について説明する。図１（ｃ）に示すように、上部フレーム３３の下面には上部案内レール３４が、下部フレーム３１の上面には下部案内レール３５が、それぞれ固定されている。上部案内レール３４と下部案内レール３５は、扉体５を支持して、Ｘ軸方向に移動させるレールである。また、下部フレーム３１の上面の、下部案内レール３５の左端部より更に左側（−Ｘ側）には、補助ローラ３６が軸支されている。補助ローラ３６は扉体５の下辺に当接して、扉体５をＸ軸方向に移動自在に支持するローラである。
【００２２】
また、扉体５の上辺には上部ローラ５１が、下辺には下部ローラ５２が、それぞれ、軸支されている。上部ローラ５１は上部案内レール３４に、下部ローラ５２は下部案内レール３５に、それぞれ当接して、Ｘ軸方向に転動するローラである。このように、扉体５は、上部案内レール３４、下部案内レール３５及び補助ローラ３６に支持されて、Ｘ軸方向に自在に移動することができる。
【００２３】
また、戸袋３の内部には、扉体５を戸袋３に対して進退させる駆動機構７が備えられている。図１（ｃ）に示すように、駆動機構７は、駆動プーリ７１、従動プーリ７２及びタイミングベルト７３を備えている。駆動プーリ７１と従動プーリ７２は、Ｘ軸方向に間隔を空けて配置され、それぞれ戸袋３に軸支されている。また、駆動プーリ７１は図示しない駆動モータによって回転駆動される。タイミングベルト７３は駆動プーリ７１と従動プーリ７２の間に掛け渡されて、駆動プーリ７１と従動プーリ７２の間を周回する無限ベルトである。そして、タイミングベルト７３は、ベルトクランプ７４を介して、扉体５に連結されている。ベルトクランプ７４はタイミングベルト７３と扉体５を連結する部品であって、その一端はタイミングベルト７３にクランプされ、他端は扉体５に固定される。
【００２４】
駆動機構７は、このように構成されているので、駆動プーリ７１が図示しない駆動モータによって回転駆動されると、タイミングベルト７３は駆動プーリ７１と従動プーリ７２の間を周回する。タイミングベルト７３が駆動プーリ７１と従動プーリ７２の間を周回するとベルトクランプ７４は駆動プーリ７１と従動プーリ７２の間で進退する。駆動プーリ７１を反時計回り、つまり図１（ｃ）において矢印ＣＣＷ方向に回転させると、タイミングベルト７３は反時計回りに周回する。そして、ベルトクランプ７４は矢印ＦＷＤで示す方向、つまり−Ｘ方向に移動する。その結果、扉体５は−Ｘ方向に移動し、戸袋３の外に引き出される。駆動プーリ７１を逆方向、つまり時計回りに回転させると、扉体５は図１（ｃ）において右側（＋Ｘ側）に移動する。
【００２５】
戸袋３の内部には、以上のような機器が内蔵されている。前述したように、図１（ｂ）に示す状態において、アクセスドアパネル４を戸袋３に対して＋Ｘ方向にスライドさせると、メンテナンス開口が開放される。つまり、図１（ｃ）に示す状態になる。この状態において、これらの機器へのアクセスが可能になる。
【００２６】
また、情報提示装置６はアクセスドアパネル４に固定されているので、アクセスドアパネル４を＋Ｘ側にスライドさせると、情報提示装置６も戸袋３の側面を覆う位置から離れる。そのため、図１（ｃ）に示す状態においては、情報提示装置６はメンテナンス作業の邪魔にならない。そして、メンテナンス作業の終了後に、アクセスドアパネル４を−Ｘ側に移動させて、元の位置に戻すと、情報提示装置６も元の位置に戻る。
【００２７】
次に図２と図３を参照して、アクセスドアパネル４の詳細な構成と作用を説明する。図２に示すように、上部フレーム３３の下面には、上部案内溝３３ａが、下部フレーム３１の上面には、下部案内溝３１ａが、それぞれ形成されていて、いずれもＸ軸方向に延びている。そして、上部ガイドローラ４１ａは、アクセスドアパネル４に回転軸Ｒ１回り回転自在に軸支されて、上部案内溝３３ａの頂面に当接するように構成されている。そのため、上部ガイドローラ４１ａは上部案内溝３３ａに案内されて、Ｘ軸方向に転動する。また、下部ガイドローラ４１ｂは、アクセスドアパネル４に回転軸Ｒ２回り回転自在に軸支されて、下部案内溝３１ａの底面に当接するように構成されている。そのため、下部ガイドローラ４１ｂは下部案内溝３１ａに案内されて、Ｘ軸方向に転動する。このように構成されているので、アクセスドアパネル４は、上部案内溝３３ａと下部案内溝３１ａに沿って、つまりＸ軸方向に移動する。
【００２８】
前述したように、アクセスドアパネル４の下辺の右側（＋Ｘ側）の端部には、補助脚４２が取り付けられている。この補助脚４２は、図３に示すように、アクセスドアパネル４に軸Ｒ３回りに揺動自在に取り付けられていて、必要に応じて、引き出して使用され、図示しないロック手段でロックされ、図３において実線で示される位置に固定される。補助脚４２は、要するにアクセスドアパネル４の「垂れ止め」である。図１（ｃ）に示すように、アクセスドアパネル４を＋Ｘ方向に引き出すと、アクセスドアパネル４が、上部フレーム３３と下部フレーム３１に片持ち支持されるので、アクセスドアパネル４の自由端はその自重によって、下方に下がる。この下がりを防ぐために、アクセスドアパネル４の自由端（図１（ｃ）及び図３において右端）に補助脚４２を取り付けて、アクセスドアパネル４の自由端を持ち上げている。また、補助脚４２は、アクセスドアパネル４に揺動自在に取り付けられた脚柱４２ａと脚柱４２ａに軸支されて床面２上を転動する車輪４２ｂを備えている。このように、補助脚４２に車輪４２ｂを備えているので、小さな力でアクセスドアパネル４を移動させることができる。なお、不使用時、つまりアクセスドアパネル４が図１（ａ）に示す位置にある場合は、補助脚４２は図３において一点鎖線で示すように、アクセスドアパネル４の中に形成されたレセス４３の中に格納される。
【００２９】
（第２の実施形態）
第１の実施形態においては、アクセスドアパネル４を戸袋３に対してスライドさせて、メンテナンス開口を開閉する例を示した。つまり、アクセスドアパネル４を引き戸（スライドドア）にする例を示したが、アクセスドアパネル４の動作形式は引き戸には限定されない。アクセスドアパネル４の動作形式は開き戸であっても良い。以下、第２の実施形態においては、アクセスドアパネル４が開き戸として動作される場合の構成例を説明する。
【００３０】
図４（ａ）に示すように、第２の実施形態に係るホームドア装置１においては、アクセスドアパネル４は、Ｙ軸に平行な回転軸Ｒ４回りに回動するヒンジ８を介して戸袋３に取り付けられている。そのため、作業者がアクセスドアパネル４の左辺に手を掛けて、外側（図４（ｂ）において下方）に引くと、図４（ｂ）に示すように、アクセスドアパネル４はヒンジ８回りに回動して、メンテナンス開口が開放される。
【００３１】
アクセスドアパネル４を２枚備えて、２枚のアクセスドアパネル４を「観音開き」に取り付けても良い。つまり、図５（ａ）に示すように、ホームドア装置１に２枚のアクセスドアパネル４，４’を備えて、図において右側に配置されたアクセスドアパネル４を、ヒンジ８を介して戸袋３に取り付け、左側に配置されたアクセスドアパネル４’を、ヒンジ８’を介して戸袋３に取り付けるようにしても良い。また、情報提示装置６は、図５（ａ）に示すように、アクセスドアパネル４，４’を覆うような大きさを備えているが、図５（ｂ）に示すように、アクセスドアパネル４にのみ固定されていて、アクセスドアパネル４と一体になって回動する。また、図５（ａ）に示す状態においては、情報提示装置６の背面がアクセスドアパネル４’の外表面に接触するように構成されている。
【００３２】
（第３の実施形態）
アクセスドアパネル４を、戸袋３に連結する手段は、ヒンジ８には限定されない。アクセスドアパネル４はリンク機構を介して戸袋３に連結されても良い。そして、アクセスドアパネル４がメンテナンス開口を閉鎖している場合には、リンク機構が戸袋３の内部に収納され、アクセスドアパネル４がメンテナンス開口を開放している場合には、リンク機構が戸袋３の外部に振り出されるように構成されていても良い。
【００３３】
つまり、図６（ａ）に示すように、アクセスドアパネル４は、２組のリンク機構９，９’ を介して戸袋３に連結されても良い。なお、リンク機構９はアクセスドアパネル４を戸袋３の下部フレーム３１に連結する連結手段であり、リンク機構９’はアクセスドアパネル４を戸袋３の上部フレーム３３に連結する連結手段である。
【００３４】
図６（ｂ）に示すように、リンク機構９は、リンク９１とリンク９２を備えている。リンク９１は節点９１ａにおいて下部フレーム３１に、節点９１ｂにおいてアクセスドアパネル４に、それぞれピン支持されている。リンク９２は節点９２ａにおいて下部フレーム３１に、節点９２ｂにおいてアクセスドアパネル４に、それぞれピン支持されている。また、節点９１ａ、節点９１ｂ、節点９２ａ及び節点９２ｂは、図６（ｂ）に示す平面において平行四辺形をなすように配置されている。このように、リンク機構９によれば、下部フレーム３１、リンク９１、アクセスドアパネル４及びリンク９２とからなる平行四辺形リンク機構が構成される。なお、リンク機構９’もリンク機構９と同様の構成を備えている。
【００３５】
このように、図６（ａ）に示したアクセスドアパネル４はリンク機構９を介して戸袋３に連結されているので、図６（ｂ）から図６（ｄ）に示すような経過を辿って、戸袋３に対して脱着される。すわなち、図６（ｂ）に示す状態において、アクセスドアパネル４を下部フレーム３１（戸袋３）の外側（図において下側）に引き出すと、アクセスドアパネル４は、図６（ｃ）に示すように、下部フレーム３１（戸袋３）に対して平行な姿勢を保ったまま、下部フレーム３１（戸袋３）から離れる。そして、図６（ｄ）に示すように、アクセスドアパネル４は、下部フレーム３１（戸袋３）に対して平行な姿勢を保ったまま、下部フレーム３１（戸袋３）に対して図において左側に移動する。その結果、戸袋３の側面が開放される。戸袋３の側面を閉塞する場合は、逆の経過を辿って、図６（ｂ）の状態に戻る。
【００３６】
このように、第３の実施形態によれば、アクセスドアパネル４が戸袋３に対して平行な姿勢を保ったまま動作する。そのため、第３の実施形態は、第２の実施形態に比べて、アクセスドアパネル４の動作に必要なスペースが小さくて済む。
【００３７】
第３の実施形態において、アクセスドアパネル４を戸袋３に連結するリンク機構９，９’は図６（ｂ）に示されたものには限定されない。図７（ａ）に示すように、リンク機構９は、４本のリンク９３，９４，９５，９６で構成されていても良い。リンク９３は、節点９３ａにおいて下部フレーム３１に、節点９３ｂにおいてリンク９４の一方の端部に、それぞれピン支持されている。そして、リンク９４の他方の端部は、節点９４ａにおいて、アクセスドアパネル４にピン支持されている。また、リンク９５は、節点９５ａにおいて下部フレーム３１に、節点９５ｂにおいてリンク９６の一方の端部に、それぞれピン支持されている。そして、リンク９６の他方の端部は、節点９６ａにおいて、アクセスドアパネル４にピン支持されている。リンク９３とリンク９５、リンク９４とリンク９６は、それぞれ長さが等しくなるように構成されている。また、また、節点９３ａ、節点９４ａ、節点９５ａ、節点９６ａは、図７（ａ）に示す平面において長方形をなすように配置されている。また、ホームドア装置１に、図７（ａ）に示すようなリンク機構９を備える場合において、リンク機構９’はリンク機構９と同様に構成される。
【００３８】
リンク機構９は上記のように構成されているので、アクセスドアパネル４を戸袋３の外側（図において下側）に引くと、図７（ａ）に示す場合において、折り畳まれていたリンク機構９は、図７（ｂ）に示すように引き伸ばされる。その結果、アクセスドアパネル４が戸袋３から引き出されて、戸袋３の側面が開放される。また、図７（ｂ）に示す場合において、アクセスドアパネル４を戸袋３に向けて押し戻すと、戸袋３の側面は閉鎖される。
【００３９】
以上説明したように、上記実施形態によれば、アクセスドアパネル４に情報提示装置６を固定しているので、戸袋３の側面において、アクセスドアパネル４と情報提示装置６が互いに干渉することがない。そのため、アクセスドアパネル４と情報提示装置６を共に大型化することができる。つまり、ホームドア装置１の戸袋３の側面に大型の情報提示装置６を取り付けることができる。情報提示装置６を大型化することにより、情報提示装置６に表示される情報を、乗降客が確認しやすくなる。また、アクセスドアパネル４を大型化できるので、戸袋３の内部に配置された機器へのアクセスが容易になる。そのため、ホームドア装置１の整備が容易になる。  
【００４０】
なお、上記実施形態は、本発明の具体的な実施態様の例示であって、本発明の技術的範囲は、上記実施形態によっては限定されない。本発明は、特許請求の範囲に示された技術的思想の限りにおいて、自由に、変形または改良して実施することができる。
【００４１】
例えば、上記実施形態においては、アクセスドアパネル４と情報提示装置６を別部品として説明したが、アクセスドアパネル４と情報提示装置６が一体に構成されるようにしても良い。つまり、情報提示装置６自体がアクセスドアパネル４として機能するように構成されても良い。この場合、情報提示装置６を構成する筐体の内側のパネルがアクセスドアパネル４に相当し、情報提示装置６の外側にある表示装置（液晶ディスプレイの画面）が情報提示装置６に相当する。
【００４２】
また、上記実施形態においては、戸袋３内に配置される機器として、レール、ローラ、プーリ、ベルト等の機械部品・機構部品を例示したが、戸袋３内に配置される機器は機械部品・機構部品には限定されない。電動機や制御装置等の電気装置、電子装置も戸袋３内に配置される。これらの電気装置、電子装置もメンテナンスの対象であって、メンテナンス開口からアクセスされる対象である。
【００４３】
上記実施形態においては、アクセスドアパネル４を戸袋３に対して、スライドさせる機構の例として、案内溝とローラの組み合わせを例示したが、アクセスドアパネル４をスライドさせる機構はこれらには限定されない。案内溝の代わりにレールを備えても良いし、ローラの代わりにレール上を摺動するスライダを備えても良い。つまり、アクセスドアパネル４をスライドさせる機構は、一般的なスライドドアに使用される各種の機構を任意に選択できる。
【００４４】
上記実施形態の説明において言及しなかった装置や部品を追加することは任意である。例えば、アクセスドアパネル４に開閉操作用のハンドルを取り付けても良い。また、アクセスドアパネル４を閉鎖状態で保持するロック機構やラッチ機構を備えても良い。
【００４５】
また、第１の実施形態において、アクセスドアパネル４に補助脚４２を備える例を例示したが、第２及び第３の実施形態に係るアクセスドアパネル４に補助脚４２を備えるようにしても良い。補助脚４２が備える車輪４２ｂは旋回軸を備えたキャスターであっても良い。また、補助脚４２において車輪４２ｂを省いても良い。つまり、アクセスドアパネル４を移動させた後、アクセスドアパネル４を停止させた状態でのみ補助脚４２を使用するようしても良い。また、補助脚４２を軸Ｒ３回り回動させる機構に代えて、補助脚４２をアクセスドアパネル４に対して自動または手動で昇降させる機構を備えても良い。
【００４６】
第２の実施形態において、ヒンジ８がＹ軸に平行な回転軸Ｒ４回りに回動する例を例示して、アクセスドアパネル４が横開きされる例を示したが、ヒンジ８の配置は、これには限定されない。アクセスドアパネル４の上辺または下辺にヒンジ８を配置して、ヒンジ８をＸ軸に平行な回転軸回りに回動するように取り付けても良い。つまり、アクセスドアパネル４が、上開き、または下開きされるようにしても良い。
【００４７】
なお、上記実施形態では、扉体５を１枚だけ備えて、扉体５が戸袋３の片側に出没する例を例示したが、扉体５を２枚備えて、扉体５が戸袋３の左右両側に出没するようにしても良い。
【符号の説明】
【００４８】
１  ホームドア装置、２  床面、３  戸袋、４，４’  アクセスドアパネル、５  扉体、６  情報提示装置、７  駆動機構、８，８’  ヒンジ、９，９’  リンク機構、３１  下部フレーム、３１ａ  下部案内溝、３２  支柱、３３  上部フレーム、３３ａ  上部案内溝、３４  上部案内レール、３５  下部案内レール、３６  補助ローラ、４１ａ  上部ガイドローラ、４１ｂ  下部ガイドローラ、４２  補助脚、４２ａ  脚柱、４２ｂ  車輪、４３  レセス、５１  上部ローラ、５２  下部ローラ、７１  駆動プーリ、７２  従動プーリ、７３  タイミングベルト、７４  ベルトクランプ、９１，９２，９３，９４，９５，９６  リンク、９１ａ，９１ｂ，９２ａ，９２ｂ，９３ａ，９３ｂ，９４ａ，９５ａ，９５ｂ，９６ａ  節点
【図１】
2017114412.tif 000003
【図２】
2017114412.tif 000004
【図３】
2017114412.tif 000005
【図４】
2017114412.tif 000006
【図５】
2017114412.tif 000007
【図６】
2017114412.tif 000008
【図７】
2017114412.tif 000009